【事件の表示】
　特願２０１６−１４０９２７号「遊技機」拒絶査定不服審判事件〔平成３０年１月１８日出願公開、特開２０１８−７９８８号〕について、次のとおり審決する。
【結　論】
　本件審判の請求は、成り立たない。
【理　由】
第１　手続の経緯
　本願は、平成２８年７月１５日の出願であって、平成２９年４月２６日付けで拒絶の理由が通知され、同年６月２８日に意見書及び手続補正書が提出され、同年１１月２８日付けで最後の拒絶の理由が通知され、平成３０年２月５日に意見書及び手続補正書が提出されたところ、同年６月１８日付けで、同年２月５日付け手続補正書でした補正が却下されるとともに拒絶査定（以下、「原査定」という。）がなされ、それに対して、同年９月４日に拒絶査定不服審判の請求がなされると同時に手続補正書（以下、この手続補正書による補正を「本件補正」という。）が提出されたものである。
第２　本件補正についての補正の却下の決定
［補正の却下の決定の結論］
　本件補正を却下する。
［理由］
１　本件補正の概要
　本件補正は、特許請求の範囲を補正する内容を含んでおり、本件補正により、特許請求の範囲の請求項１は、
（補正前：平成２９年６月２８日に提出された手続補正書）
「【請求項１】
　遊技球が流下可能な遊技領域と、
　前記遊技領域へ向けて遊技球を発射可能な発射装置と、
　前記遊技領域を流下する遊技球が進入可能な入賞口と、
　前記入賞口へ遊技球が進入することに基づき、賞球として遊技球を払い出す払出装置と、を備えるとともに、
　電子部品を実装した制御基板が、開放可能な収納ケースに収納された状態で設けられ、
　前記収納ケースは、
　当該収納ケースが開放不能となるように固着するためのカシメ部を備えるとともに、当該収納ケースが固着された後に当該収納ケースを開放する際には、前記カシメ部が破壊されるように形成され、
　当該収納ケースに前記制御基板が収納された状態で当該収納ケースの表面を正面視した際には、当該収納ケースの表面を通して、前記制御基板における電子部品の実装面を視認可能に形成されている遊技機であって、
　前記制御基板における電子部品の実装面には、遊技の進行を制御する制御装置と、当該制御装置と電気的に接続され、かつ遊技に関する情報を表示する表示装置とが少なくとも実装され、
　前記収納ケースの表面には、当該収納ケースの固着及び開放の履歴を記録する記録手段が設けられ、
　前記制御装置、前記表示装置及び前記記録手段は、前記収納ケースに前記制御基板が収納された状態で当該収納ケースの表面を正面視した際に、互いに重なって視認されることの無い位置に配置されており、
　前記制御装置は、所定の算定期間において、前記払出装置により払い出された賞球の数に対応する値及び前記発射装置により発射された遊技球の数に対応する値に基づく算出値を導出可能であり、
　前記表示装置は、前記制御装置により導出された所定の算定期間における算出値を表示可能に設定されていることを特徴とする遊技機。」
から、
（補正後：平成３０年９月４日に提出された手続補正書）
「【請求項１】
　遊技球が流下可能な遊技領域と、
　前記遊技領域へ向けて遊技球を発射可能な発射装置と、
　前記遊技領域を流下する遊技球が進入可能な入賞口と、
　前記入賞口へ遊技球が進入することに基づき、賞球として遊技球を払い出す払出装置と、を備えるとともに、
　電子部品を実装した制御基板が、開放可能な収納ケースに収納された状態で設けられ、
　前記収納ケースは、
　当該収納ケースが開放不能となるように固着するためのカシメ部を備えるとともに、当該収納ケースが固着された後に当該収納ケースを開放する際には、前記カシメ部が破壊されるように形成され、
　当該収納ケースに前記制御基板が収納された状態で当該収納ケースの表面を正面視した際には、当該収納ケースの表面を通して、前記制御基板における電子部品の実装面を視認可能に形成されている遊技機であって、
　前記制御基板における電子部品の実装面には、遊技の進行を制御する制御装置と、当該制御装置と電気的に接続され、かつ遊技に関する情報を
表示内容ごとに一つずつ表示可能とするとともに操作部の操作に基づき当該表示内容を切り換えて表示可能な
　前記収納ケースの表面には、当該収納ケースの固着及び開放の履歴を記録する記録手段が設けられ、
　前記制御装置、前記表示装置及び前記記録手段は、前記収納ケースに前記制御基板が収納された状態で当該収納ケースの表面を正面視した際に、互いに重なって視認されることの無い位置に配置されており、
　前記制御装置は、
前記遊技に関する情報の一つとして、
　前記表示装置は、前記制御装置により導出された所定の算定期間における算出値を表示可能に設定され
るとともに、前記操作部の操作に基づき前記表示内容を切り換えて表示可能に設定され
に補正された（下線は、補正箇所を明示するために当審で付した）。
２　本件補正の適否
（１）補正事項
　本件補正は、補正前の請求項１について、以下に挙げる補正事項を含むものである。
ア　「当該制御装置と電気的に接続され、かつ遊技に関する情報を表示する表示装置」という記載を、「当該制御装置と電気的に接続され、かつ遊技に関する情報を
表示内容ごとに一つずつ表示可能とするとともに操作部の操作に基づき当該表示内容を切り換えて表示可能な
イ　「前記制御装置は、所定の算定期間において、前記払出装置により払い出された賞球の数に対応する値及び前記発射装置により発射された遊技球の数に対応する値に基づく算出値を導出可能であり」という記載を、「前記制御装置は、
前記遊技に関する情報の一つとして、
ウ　「前記表示装置は、前記制御装置により導出された所定の算定期間における算出値を表示可能に設定されている」という記載を、「前記表示装置は、前記制御装置により導出された所定の算定期間における算出値を表示可能に設定され
るとともに、前記操作部の操作に基づき前記表示内容を切り換えて表示可能に設定され
（２）補正の目的要件違反についての検討
ア　補正事項アは、「表示装置」について、補正前に「遊技に関する情報を表示する」としていたのを、補正後に「遊技に関する情報を
表示内容ごとに一つずつ表示可能とするとともに操作部の操作に基づき当該表示内容を切り換えて表示可能な
　また、当該限定した事項は、本願の願書に最初に添付した明細書、特許請求の範囲又は図面（以下、「当初明細書等」という。）の明細書【００３２】、【００８３】、【００８５】、【０１１４】に記載された事項であり、当該補正は、当初明細書等の記載の範囲内においてしたものであるから、特許法第１７条の２第３項の規定を満たす。
イ　補正事項イは、「制御装置」について、制御装置が導出可能であるとする「算出値」を、「
前記遊技に関する情報の一つとして
　また、当該限定した事項は、当初明細書等の明細書【００３２】、【００７２】、【００８３】−【００８５】、【００９１】に記載された事項であり、当該補正は、当初明細書等の記載の範囲内においてしたものであるから、特許法第１７条の２第３項の規定を満たす。
ウ　補正事項ウは、「表示装置」について、「
前記操作部の操作に基づき前記表示内容を切り換えて表示可能に設定され
　また、当該限定した事項は、当初明細書等の明細書【００３２】、【００８３】、【００８５】、【０１１４】に記載された事項であり、当該補正は、当初明細書等の記載の範囲内においてしたものであるから、特許法第１７条の２第３項の規定を満たす。
　そこで、本件補正後の請求項１に係る発明（以下、「本願補正発明」という。）が特許法第１７条の２第６項において準用する同法第１２６条第７項の規定に適合するか（特許出願の際独立して特許を受けることができるものであるか）について以下に検討する。
３　本願補正発明の独立特許要件についての検討
（１）本願補正発明について
　本願補正発明は、上記１の本件補正の概要に示した次のとおりのものである（Ａ〜Ｉは、本願補正発明を分説するため当審にて付与した）。
「Ａ　遊技球が流下可能な遊技領域と、
Ｂ　前記遊技領域へ向けて遊技球を発射可能な発射装置と、
Ｃ　前記遊技領域を流下する遊技球が進入可能な入賞口と、
Ｄ　前記入賞口へ遊技球が進入することに基づき、賞球として遊技球を払い出す払出装置と、を備えるとともに、
Ｅ１　電子部品を実装した制御基板が、開放可能な収納ケースに収納された状態で設けられ、
Ｆ１　前記収納ケースは、
　当該収納ケースが開放不能となるように固着するためのカシメ部を備えるとともに、当該収納ケースが固着された後に当該収納ケースを開放する際には、前記カシメ部が破壊されるように形成され、
Ｆ２　当該収納ケースに前記制御基板が収納された状態で当該収納ケースの表面を正面視した際には、当該収納ケースの表面を通して、前記制御基板における電子部品の実装面を視認可能に形成されている遊技機であって、
Ｅ２　前記制御基板における電子部品の実装面には、遊技の進行を制御する制御装置と、当該制御装置と電気的に接続され、かつ遊技に関する情報を表示内容ごとに一つずつ表示可能とするとともに操作部の操作に基づき当該表示内容を切り換えて表示可能な表示装置とが少なくとも実装され、
Ｆ３　前記収納ケースの表面には、当該収納ケースの固着及び開放の履歴を記録する記録手段が設けられ、
Ｇ　前記制御装置、前記表示装置及び前記記録手段は、前記収納ケースに前記制御基板が収納された状態で当該収納ケースの表面を正面視した際に、互いに重なって視認されることの無い位置に配置されており、
Ｈ　前記制御装置は、前記遊技に関する情報の一つとして、所定の算定期間において、前記払出装置により払い出された賞球の数に対応する値及び前記発射装置により発射された遊技球の数に対応する値に基づく算出値を導出可能であり、
Ｉ　前記表示装置は、前記制御装置により導出された所定の算定期間における算出値を表示可能に設定されるとともに、前記操作部の操作に基づき前記表示内容を切り換えて表示可能に設定されていることを特徴とする遊技機。」
（２）引用文献等の記載事項
ア　先願
　原査定の拒絶の理由に引用された、本願の出願日前の他の特許出願であって、本願の出願後に出願公開された特願２０１６−８９７３０号（特開２０１７−１９６１８５号）（出願日：平成２８年４月２７日、出願人：株式会社大一商会、発明者：市原高明、岩田和也）（以下、「先願」という。）の願書に最初に添付した明細書、特許請求の範囲又は図面（以下、「先願明細書等」という。)には、次の事項が記載されている。
（ア）「【００１４】
　本実施形態の
パチンコ機１
遊技球が打込まれる遊技領域５ａ
を備えている
（イ）「【００１８】
　
パチンコ機１
遊技領域５ａ内に遊技球を打込むための球発射装置６８０
を備えている
【００１９】
　裏カバー９８０の内部には、パチンコ機１で行われる遊技の進行にかかる制御を行う主制御ユニット１３００が設けられる。
主制御ユニット１３００には役物比率表示器１３１７が設けられる
【００２０】
　主制御ユニット１３００は、図１３に示すように、
一度閉めたら破壊せずに開けることができない構造で封印された透明の樹脂製の主制御基板ボックス１３２０
プリント基板上に配置された部品を外部から見ることができる
（ウ）「【００２７】
　本実施形態のパチンコ機１は、上皿２０１に遊技球を貯留した状態で、遊技者がハンドルレバー５０４を回転操作すると、
球発射装置６８０によって
遊技球が
遊技領域５ａ内へ打込まれる
遊技球が
入賞口に受入れられると、受入れられた入賞口に応じて、所定数の遊技球が払出装置８３０によって
払出される
（エ）「【００３２】
　表ユニット２０００は、
遊技領域５ａ内に打込まれた遊技球を受入可能
一般入賞口２００１
遊技球を受入可能
第一始動口２００２
を備えている
（オ）「【００４４】
　［２−４．主制御基板ユニット］
　次に、主制御ユニット１３００について、図１１乃至図１５、及び図１７を参照して説明する。主制御ユニット１３００は、基板ホルダ１２００の後面に着脱可能に取付けられている。この主制御ユニット１３００は、遊技内容及び遊技球の払出し等を制御する主制御基板１３１０と、
主制御基板１３１０を収容しており
主制御基板ボックス１３２０
【００４５】
　
主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、主制御基板ボックス１３２０の開閉の痕跡を残すことができる
（カ）「【００６５】
　［３−１．主制御基板］
　
遊技の進行を制御する主制御基板１３１０は
主制御ＭＰＵ１３１１
を備えている
（キ）「【００７２】
　
主制御基板１３１０には
役物比率表示器１３１７が取り付けられる
役物比率表示器１３１７は、主制御ＭＰＵ１３１１が計算した役物比率を表示する
【００７３】
　また、主制御基板１３１０には、表示切替スイッチ１３１８が設けられる。表示切替スイッチ１３１８は、モーメンタリ動作をする押ボタンスイッチで構成するとよいが、他の形式のスイッチでもよい。表示切替スイッチ１３１８を操作すると、役物比率表示器１３１７に役物比率を表示する。なお、
役物比率表示器１３１７は
表示切替スイッチ１３１８の操作によって表示内容を切り替えてもよい
（ク）「【０１０６】
　［４．遊技内容］
　次に、本実施形態のパチンコ機１による遊技内容について、主に図１０、図１６及び図１７等を参照して説明する。本実施形態のパチンコ機１は、扉枠３の前面右下隅に配置されたハンドルユニット５００のハンドルレバー５０４を遊技者が回転操作することで、皿ユニット２００の上皿２０１に貯留された遊技球が、遊技盤５における外レール１００１と内レール１００２との間を通って遊技領域５ａ内の上部へと打ち込まれて、遊技球による遊技が開始される。
遊技領域５ａ内の上部へ打ち込まれた遊技球は、
流下する
（ケ）「【０１７４】
　［５−３．役物比率算出・表示処理］
　図２１及び図２２は、役物比率算出・表示処理の一例を示すフローチャートである。
役物比率算出・表示処理は、主制御ＭＰＵ１３１１が実行する
【０１７５】
　まず、主制御ＭＰＵ１３１１のＲＡＭ１３１２の役物比率算出用領域１３１２８のメイン領域からチェックコードを算出し（ステップＳ１４０）、算出したチェックコードが、役物比率算出用領域１３１２８に格納されているチェックコードと一致しているかを判定する（ステップＳ１４２）。算出したチェックコードと役物比率算出用領域１３１２８に格納されているチェックコードとが一致していれば、メイン領域のデータは正常なので、
役物比率算出処理を実行し、メイン領域のデータから役物比率及び連続役物比率を算出し、役物比率算出用領域１３１２８に格納する（ステップＳ１５６）
（コ）「【０１８７】
　続いて、
算出された役物比率を役物比率表示器１３１７に表示する（ステップＳ１７２）
（サ）「【０２１１】
　前述したように、役物比率は、主制御基板１３１０に設けられた役物比率表示器１３１７に表示される。前述したように、
役物比率表示器１３１７は、例えば、４桁の７セグメントＬＥＤ
によって構成され、下２桁に役物比率の数値を表示し、上２桁に数値の種類を表示する
（シ）「【０２１７】
　
役物比率表示器１３１７は、直近データ表示と中期データ表示と長期データ表示とを切り替えて表示してもよい
（ス）「【０２２０】
　
役物比率表示器１３１７は、ベースを表示してもよい。ベースは、特賞中（大当り中）を除いた通常時の出玉率であり、セーフ球数÷アウト球数で計算できる。
発射球数（アウト球数）
セーフ球数は払い出した賞球数に等しい
　以上の記載事項（ア）〜（ス）から、先願明細書等には、次の技術的事項が記載されているものと認められる（見出し（ａ）〜（ｉ）は、本願補正発明の分説Ａ〜Ｉに対応させている。また、後述する先願発明の認定に関係する箇所に下線を付した）。
（ａ）記載事項（ア）から、遊技球が打込まれる遊技領域５ａを備えることが記載されている。また、記載事項（ク）から、遊技領域５ａ内の上部へ打ち込まれた遊技球は、流下することが記載されている。
　これらのことから、
遊技球が打込まれ、流下する遊技領域５ａを備える
（ｂ）記載事項（イ）（【００１８】）から、遊技領域５ａ内に遊技球を打込むための球発射装置６８０を備えることが、記載事項（ウ）から、球発射装置６８０によって遊技球が遊技領域５ａ内へ打込まれることが、それぞれ記載されている。
　これらのことから、
遊技領域５ａ内へ遊技球を打込む球発射装置６８０を備える
（ｃ）記載事項（エ）から、
遊技領域５ａ内に打込まれた遊技球を受入可能な一般入賞口２００１及び第一始動口２００２を備える
（ｄ）記載事項（ウ）から、
遊技球が入賞口に受入れられると、受入れられた入賞口に応じて、所定数の遊技球が払出される払出装置８３０を備える
（ｅ１）記載事項（オ）（【００４４】）から、主制御基板１３１０を収容する主制御基板ボックス１３２０が記載されている。また、記載事項（イ）（【００２０】）から、一度閉めたら破壊せずに開けることができない構造で封印された主制御基板ボックス１３２０が記載されている。
　そうすると、先願明細書等には、
一度閉めたら破壊せずに開けることができない構造で封印された主制御基板ボックス１３２０に主制御基板１３１０が収容される
（ｆ１）記載事項（オ）（【００４５】）から、
主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要がある
（ｆ２）記載事項（イ）（【００２０】）から、透明の樹脂製の主制御基板ボックス１３２０が記載され、また、プリント基板上に配置された部品を外部から見ることができることが記載されている。そして、上記認定事項（ｅ１）もあわせ見ると、先願明細書等には、
透明の樹脂製の主制御基板ボックス１３２０に主制御基板１３１０が収容され、プリント基板上に配置された部品を外部から見ることができる
パチンコ機１
（ｅ２）記載事項（カ）から、遊技の進行を制御する主制御基板１３１０は、主制御ＭＰＵ１３１１を備えていることが記載されており、記載事項（キ）（【００７２】）から、主制御基板１３１０には役物比率表示器１３１７が取り付けられ、主制御ＭＰＵ１３１１が計算した役物比率を表示することが記載されている。また、記載事項（キ）（【００７３】）から、役物比率表示器１３１７は表示切替スイッチ１３１８の操作によって表示内容を切り替えてもよいことが記載されており、記載事項（サ）から、役物比率表示器１３１７は、例えば、４桁の７セグメントＬＥＤや、液晶表示装置によって構成され、下２桁に役物比率の数値を表示し、上２桁に数値の種類を表示することが記載されている。
　そうすると、先願明細書等には、
遊技の進行を制御する主制御基板１３１０は、主制御ＭＰＵ１３１１及び役物比率表示器１３１７が取り付けられ、役物比率表示器１３１７は、主制御ＭＰＵ１３１１が計算した役物比率を表示するものであり、４桁の７セグメントＬＥＤによって構成され、下２桁に役物比率の数値を表示し、上２桁に数値の種類を表示し、役物比率表示器１３１７は表示切替スイッチ１３１８の操作によって表示内容を切り替えてもよい
（ｆ３）記載事項（オ）（【００４５】）から、
主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、主制御基板ボックス１３２０の開閉の痕跡を残すことができる
（ｇ）上記認定事項（ｅ２）で示したように、先願明細書等には、主制御基板１３１０は、主制御ＭＰＵ１３１１及び役物比率表示器１３１７が取り付けられることが記載されており、また、上記認定事項（ｆ２）で示したように、先願明細書等には、透明の樹脂製の主制御基板ボックス１３２０に主制御基板１３１０が収容され、プリント基板上に配置された部品を外部から見ることができることが記載されている。
　そうすると、先願明細書等には、
透明の樹脂製の主制御基板ボックス１３２０に、主制御ＭＰＵ１３１１及び役物比率表示器１３１７が取り付けられた主制御基板１３１０が収容され、プリント基板上に配置された部品を外部から見ることができる
（ｈ）記載事項（ケ）から、役物比率算出・表示処理は、主制御ＭＰＵ１３１１が実行すること、また、役物比率算出処理を実行し、メイン領域のデータから役物比率及び連続役物比率を算出し、役物比率算出用領域１３１２８に格納する（ステップＳ１５６）こと、記載事項（シ）から、役物比率表示器１３１７は、直近データ表示と中期データ表示と長期データ表示とを切り替えて表示してもよいこと、記載事項（ス）から、役物比率表示器１３１７は、払い出した賞球数であるセーフ球数÷発射球数（アウト球数）で計算できる、特賞中（大当り中）を除いた通常時の出玉率であるベースを表示してもよいことが、それぞれ記載されている。
　そうすると、先願明細書等には、
主制御ＭＰＵ１３１１は、役物比率算出・表示処理を実行し、メイン領域のデータから役物比率及び連続役物比率を算出し、役物比率表示器１３１７は、直近データ表示と中期データ表示と長期データ表示とを切り替えて表示してもよく、役物比率表示器１３１７は、払い出した賞球数であるセーフ球数÷発射球数（アウト球数）で計算できる、特賞中（大当り中）を除いた通常時の出玉率であるベースを表示してもよい
（ｉ）記載事項（コ）から、算出された役物比率を役物比率表示器１３１７に表示する（ステップＳ１７２）こと、記載事項（キ）（【００７３】）から、役物比率表示器１３１７は、表示切替スイッチ１３１８の操作によって表示内容を切り替えてもよいことが記載されている。
　そうすると、先願明細書等には、
役物比率表示器１３１７は、算出された役物比率を表示し、表示切替スイッチ１３１８の操作によって表示内容を切り替えてもよい
　以上の記載事項（ア）〜（ス）及び認定事項（ａ）〜（ｉ）を総合すると、先願明細書等には、以下の発明（以下、「先願発明」という。）が記載されている（分説ａ〜ｉは、本願補正発明の分説Ａ〜Ｉに対応させて付与した）。
「ａ　遊技球が打込まれ、流下する遊技領域５ａと、
ｂ　遊技領域５ａ内へ遊技球を打込む球発射装置６８０と、
ｃ　遊技領域５ａ内に打込まれた遊技球を受入可能な一般入賞口２００１及び第一始動口２００２と、
ｄ　遊技球が入賞口に受入れられると、受入れられた入賞口に応じて、所定数の遊技球が払出される払出装置８３０と、を備えるとともに、
ｅ１　一度閉めたら破壊せずに開けることができない構造で封印された主制御基板ボックス１３２０に主制御基板１３１０が収容され、
ｆ１　主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、
ｆ２　透明の樹脂製の主制御基板ボックス１３２０に主制御基板１３１０が収容され、プリント基板上に配置された部品を外部から見ることができるパチンコ機１であって、
ｅ２　遊技の進行を制御する主制御基板１３１０は、主制御ＭＰＵ１３１１及び役物比率表示器１３１７が取り付けられ、役物比率表示器１３１７は、主制御ＭＰＵ１３１１が計算した役物比率を表示するものであり、４桁の７セグメントＬＥＤによって構成され、下２桁に役物比率の数値を表示し、上２桁に数値の種類を表示し、役物比率表示器１３１７は表示切替スイッチ１３１８の操作によって表示内容を切り替えてもよいものであり、
ｆ３　主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、主制御基板ボックス１３２０の開閉の痕跡を残すことができ、
ｇ　透明の樹脂製の主制御基板ボックス１３２０に、主制御ＭＰＵ１３１１及び役物比率表示器１３１７が取り付けられた主制御基板１３１０が収容され、プリント基板上に配置された部品を外部から見ることができ、
ｈ　主制御ＭＰＵ１３１１は、役物比率算出・表示処理を実行し、メイン領域のデータから役物比率及び連続役物比率を算出し、役物比率表示器１３１７は、直近データ表示と中期データ表示と長期データ表示とを切り替えて表示してもよく、役物比率表示器１３１７は、払い出した賞球数であるセーフ球数÷発射球数（アウト球数）で計算できる、特賞中（大当り中）を除いた通常時の出玉率であるベースを表示してもよく、
ｉ　役物比率表示器１３１７は、算出された役物比率を表示し、表示切替スイッチ１３１８の操作によって表示内容を切り替えてもよい、パチンコ機１。」
イ　周知例１
　周知技術の例として引用する、本願の出願前に頒布された又は電気通信回線を通じて公衆に利用可能となった特開平１０−２８６３６４号公報（以下、「周知例１」という。）には、図面と共に次の事項が記載されている。
（ア）「【００２６】図２はこの
遊技機
１４は
役物制御装置、１５は役物制御装置１４の基板ボックス
（イ）「【００２８】図３は基板ボックス１５の斜視図で、図４は分解斜視図であり、２５はベース部材、２６は上蓋部材、２７は下部保護板、２８は上部保護板、
３０は役物制御装置１４の制御回路基板、３１は制御回路基板３０に実装された電子部品のうちのＲＯＭ
（ウ）「【００５４】この後、
基板ボックス１５の表面つまり上蓋部材２６の天板部４４の表面には
公的機関がＲＯＭ３１等の電子部品の検査の際に基板ボックス１５を正規に開放したことを証明する記載を可能な欄を設けた検査履歴書８１を取付ける
【００５５】機種名表示票８０は、上蓋部材２６の天板部４４の蝶着部４０側に、
検査履歴書８１は天板部４４
に、制御回路基板３０のＲＯＭ３１を上蓋部材２６を通して視認するのに支障のないよう、ＲＯＭ３１を覆う部位を除くよう、天板部４４のほぼ中央にＲＯＭ３１の大きさと略同等以上の面を空けて、貼着により取付ける
（エ）「【００５７】
検査履歴書８１は、公的機関の検査に関わる基板ボックス１５の封印、開放つまり重合結合部５０〜５３，５４〜５７の状態を管理するために、検査回数、検査年月日、検査印等の検査履歴の記載欄を設け
重合結合部５０〜５３，５４〜５７の識別符号に検査履歴の欄を対応させれば、重合結合部５０〜５３，５４〜５７の封印順序が定まり、検査時の作業が容易になると共に、識別符号、検査履歴を見て、重合結合部の状態を的確に照合することができる
（オ）基板ボックス１５の斜視図である図３、分解斜視図である図４から、
制御回路基板３０が基板ボックス１５に収納される
　以上の記載事項（ア）〜（オ）を総合すると、周知例１には、以下の事項が記載されている。
「遊技機において、基板ボックス１５に役物制御装置１４の制御回路基板３０が収納され（記載事項（ア）、（イ）、（オ））、
　ＲＯＭ３１が制御回路基板３０に実装され（記載事項（イ））、
　基板ボックス１５の表面である上蓋部材２６の天板部４４の表面には、公的機関がＲＯＭ３１等の電子部品の検査の際に基板ボックス１５を正規に開放したことを証明する記載を可能な欄を設けた検査履歴書８１が、制御回路基板３０のＲＯＭ３１を上蓋部材２６を通して視認するのに支障のないよう、ＲＯＭ３１を覆う部位を除くよう、天板部４４のほぼ中央にＲＯＭ３１の大きさと略同等以上の面を空けて、貼着により取付けられ（記載事項（ウ））、
　検査履歴書８１は、公的機関の検査に関わる基板ボックス１５の封印、開放つまり重合結合部５０〜５３，５４〜５７の状態を管理するために、検査回数、検査年月日、検査印等の検査履歴の記載欄を設け、重合結合部５０〜５３，５４〜５７の識別符号に検査履歴の欄を対応させれば、重合結合部５０〜５３，５４〜５７の封印順序が定まり、検査時の作業が容易になると共に、識別符号、検査履歴を見て、重合結合部の状態を的確に照合することができる（記載事項（エ））、遊技機。」
ウ　周知例２
　周知技術の例として引用する、本願の出願前に頒布された又は電気通信回線を通じて公衆に利用可能となった刊行物である特開平１１−９８００号公報（以下、「周知例２」という。）には、図面と共に次の事項が記載されている。
（ア）「【００１９】また、前記機構板５０には、発生した入賞玉に基づいて所定個数の賞球を払い出す玉タンク５５と、賞球払出装置５６と、玉タンク５５内の玉を賞球払出装置５６に送る玉整列レール５７、カーブ樋５８、及び通路体５９と、玉止め部材６０ａ及び入賞玉排出ソレノイド６０ｂを備えた入賞玉処理装置６０と、
遊技制御回路基板６１を収納した回路基板ボックス６２
遊技制御回路基板６１は、ＣＰＵ、ＲＡＭ、及びＲＯＭを備えて
遊技装置の遊技動作を制御する
弾球遊技機１
（イ）「【００２１】次に、各種制御用の回路基板を収納してなる基板ボックスの構成について回路基板ボックス６２を例に挙げて説明する。
回路基板ボックス６２は、
前記遊技制御回路基板６１を内部に収納する蓋体８０及びボックス本体１１０の組付体からなり
（ウ）「【００２３】
蓋体８０は
透視性を有する上板８１
を備えている
（エ）「【００２５】また、上板８１の上面には、弾球遊技機１の機種名が記された機種名シール８９を貼付するための凹部９０が形成されると共に、後述の可動板１０６を保持するための保持突起９１が突設されており（図８（Ａ）参照）、
上板８１の幅方向一側には、取付突起９２が
形成されている
取付突起９２には、検査履歴シール１０７を貼付した可動板１０６が回転可能に取り付けられている
【００２６】しかして、可動板１０６は、取付突起９２の軸受穴９２ａに回転軸１０６ｂが挿入され、その回転軸１０６ｂのビス止め穴１０６ｃに挿通穴９２ｂを通してビス１０８が取り付けられることで、回転軸１０６ｂを中心として回転可能に上板８１に取り付けられている。なお、このようにして上板８１に取り付けられた可動板１０６は、後で詳述する回路基板ボックス６２の組み付け状態を解除（回路基板ボックス６２を開放）しない限り取り外しが行えないようになっている。また、可動板１０６の回転において、係合穴１０６ｄを上板８１側の保持突起９１と係合させたときには、可動板１０６全体を上板８１の上面に当接させた状態（図７に示す実線位置）で可動板１０６を保持するようになっている。そして、通常時は、可動板１０６を図７に示す実線位置に保持しておき、可動板１０６の破損を防止する。なお、この状態は、可動板１０６の下面側に上板８１が当接して配されるので、上板８１を可動板１０６（検査履歴シール１０７）の下敷きとすることができ、後で詳述するような検査履歴シール１０７への検査履歴の記入状態ともなる。一方、
透視性を有する上板８１から内部の遊技制御回路基板６１を確認
する場合には、
可動板１０６を回転させる。これにより、遊技制御回路基板６１全体が外部から視認でき、簡易的な基板検査
が確実に行える
【００２７】なお、
可動板１０６に貼付される検査履歴シール１０７には、回路基板ボックス６２内に収納される遊技制御回路基板６１の基板番号と、回路基板ボックス６２を検査した際に書き込む「検査者」及び「検査日」の各項目と、が記されている
シール
１０７において
回路基板６１を覆う部分は、
ＲＯＭやＣＰＵなどの不正行為が行われる可能性がある部分以外
が望ましい
（オ）「【００４７】次に、上記した
回路基板ボックス６２を回路基板６１の検査
のために開放
回路基板ボックス６２の閉塞状態において
各連結部８４ａ・８５ａを
切断する
回路基板ボックス６２の開放が可能になる
【００４８】なお、
上記した回路基板６１の検査作業
検査履歴シール１０７に
検査者
と検査日を記入することで、検査した旨を回路基板ボックス６２に明記する
（カ）「【００５４】以上のように、本実施形態に係る回路基板ボックス６２は、ボックス本体１１０と蓋体８０とをワンウェイネジ１４０により組み付けて非可逆的な固着状態とする取付片部８３ａと、該取付片部８３ａの固着状態を解除するための連結部８４ａ・８５ａと、該連結部８４ａ・８５ａの切断状態でワンウェイネジ１４０によりボックス本体１１０と蓋体８０とを再び組み付けて非可逆的な固着状態とする取付片部８３ｂ・８３ｃと、連結部８４ａ・８５ａの切断状態で回路基板６１を検査したときにその検査履歴を記録しておく検査履歴シール１０７と、回路基板６１を外部から視認可能にする上板８１と、を備え、検査履歴シール１０７は、当該回路基板ボックス６２を弾球遊技機１に取り付けた状態で、上板８１（回路基板６１）を覆う位置と上板８１（回路基板６１）を覆わない位置とに移動可能な可動板１０６に貼付して設けたことを特徴とする。このように構成することにより、回路基板６１の検査以外で連結部８４ａ・８５ａが切断されるような場合は、この解除により回路基板６１に不正が行われたことが即座に且つ確実に判別できるため、回路基板ボックス６２の防犯効果を高めることができる。つまり、
回路基板ボックス６２を非可逆的な固着状態とするので、不正に解除しようとすれば、必ずその痕跡が残る。故に、検査履歴が記録されているかどうかで回路基板ボックス６２の解除が不正なものか否かが判別できる
　以上の記載事項（ア）〜（カ）を総合すると、周知例２には、以下の事項が記載されている。
「遊技装置の遊技動作を制御する、ＣＰＵ、ＲＡＭ、及びＲＯＭを備えた遊技制御回路基板６１と、遊技制御回路基板６１を収納した回路基板ボックス６２とを備え（記載事項（ア））、
　回路基板ボックス６２は、前記遊技制御回路基板６１を内部に収納する蓋体８０及びボックス本体１１０の組付体からなり（記載事項（イ））、
　蓋体８０は、透視性を有する上板８１を備えており（記載事項（ウ））、
　上板８１の幅方向一側には、取付突起９２が形成され、取付突起９２には、検査履歴シール１０７を貼付した可動板１０６が回転可能に取り付けられており（記載事項（エ）（【００２５】））、
　検査履歴シール１０７において回路基板６１を覆う部分は、ＲＯＭやＣＰＵなどの不正行為が行われる可能性がある部分以外が望ましく（記載事項（エ）（【００２７】））、
　透視性を有する上板８１から内部の遊技制御回路基板６１を確認する場合には、可動板１０６を回転させ、遊技制御回路基板６１全体が外部から視認でき、簡易的な基板検査が確実に行え（記載事項（エ）（【００２６】））、
　可動板１０６に貼付される検査履歴シール１０７には、回路基板ボックス６２内に収納される遊技制御回路基板６１の基板番号と、回路基板ボックス６２を検査した際に書き込む「検査者」及び「検査日」の各項目と、が記されており（記載事項（エ）（【００２７】））、
　回路基板ボックス６２を回路基板６１の検査のために開放するには、回路基板ボックス６２の閉塞状態において、各連結部８４ａ・８５ａを切断し、回路基板ボックス６２の開放が可能になり、回路基板６１の検査作業の際には、検査履歴シール１０７に検査者と検査日を記入することで、検査した旨を回路基板ボックス６２に明記し（記載事項（オ））、
　回路基板ボックス６２を非可逆的な固着状態とするので、不正に解除しようとすれば、必ずその痕跡が残り、検査履歴が記録されているかどうかで回路基板ボックス６２の解除が不正なものか否かが判別できる（記載事項（カ））、弾球遊技機。」
（３）対比
　本願補正発明と先願発明とを対比する（見出しａ〜ｉは、本願補正発明の分説Ａ〜Ｉに対応させて付与した）。
ａ　先願発明の「ａ　遊技球が打込まれ、流下する遊技領域５ａ」は、本願補正発明の「Ａ　遊技球が流下可能な遊技領域」に相当する。
ｂ　先願発明の「ｂ　遊技領域５ａ内へ遊技球を打込む球発射装置６８０」は、本願補正発明の「Ｂ　前記遊技領域へ向けて遊技球を発射可能な発射装置」に相当する。
ｃ　先願発明の「一般入賞口２００１及び第一始動口２００２」は、「遊技領域５ａ内に打込まれた遊技球を受入可能」であるから、先願発明の「ｃ　遊技領域５ａ内に打込まれた遊技球を受入可能な一般入賞口２００１及び第一始動口２００２」は、本願補正発明の「Ｃ　前記遊技領域を流下する遊技球が進入可能な入賞口」に相当する。
ｄ　先願発明の「ｄ　遊技球が入賞口に受入れられると、受入れられた入賞口に応じて、所定数の遊技球が払出される払出装置８３０」は、本願補正発明の「Ｄ　前記入賞口へ遊技球が進入することに基づき、賞球として遊技球を払い出す払出装置」に相当する。
ｅ１　先願発明の「主制御基板ボックス１３２０」は、「一度閉めたら破壊せずに開けることができない構造で封印された」ものであるが、先願発明のｆ１に「主制御基板ボックス１３２０を開けるためにはその封印機構を破壊する必要があり」とあるように、封印機構を破壊すれば開けることが可能である。また、先願発明の「主制御基板１３１０」は、先願発明のｅ２に「主制御基板１３１０は、主制御ＭＰＵ１３１１及び役物比率表示器１３１７が取り付けられ」とあることからすると、電子部品が実装されていることは明らかである。そうすると、先願発明の「ｅ１　一度閉めたら破壊せずに開けることができない構造で封印された主制御基板ボックス１３２０に主制御基板１３１０が収容され」ることは、本願補正発明の「Ｅ１　電子部品を実装した制御基板が、開放可能な収納ケースに収納された状態で設けられ」ることに相当する。
ｆ１　先願発明の「封印機構」について、「封印機構を用いて主制御基板ボックス１３２０を閉じると、次に、主制御基板ボックス１３２０を開けるためにはその封印機構を破壊する必要があり」とあることからすると、封印機構は、主制御基板ボックス１３２０が開けられないようにするためのものであり、本願補正発明のカシメ部に相当する。そうすると、先願発明の「ｆ１　主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があ」ることは、本願補正発明の「Ｆ１　前記収納ケースは、
　当該収納ケースが開放不能となるように固着するためのカシメ部を備えるとともに、当該収納ケースが固着された後に当該収納ケースを開放する際には、前記カシメ部が破壊されるように形成され」ることに相当する。
ｆ２　先願発明の「プリント基板」とは、「透明の樹脂製の主制御基板ボックス１３２０」に収容された「主制御基板１３１０」を指すことは明らかであり、プリント基板上に配置された部品を外部から見ることができることは、透明の樹脂製の主制御基板ボックス１３２０を介して主制御基板１３１０に取り付けられた部品を見ることができるのであるから、先願発明の「ｆ２　透明の樹脂製の主制御基板ボックス１３２０に主制御基板１３１０が収容され、プリント基板上に配置された部品を外部から見ることができるパチンコ機１」は、本願補正発明の「Ｆ２　当該収納ケースに前記制御基板が収納された状態で当該収納ケースの表面を正面視した際には、当該収納ケースの表面を通して、前記制御基板における電子部品の実装面を視認可能に形成されている遊技機」に相当する。
ｅ２　先願発明の「役物比率表示器１３１７」は「表示切替スイッチ１３１８の操作によって表示内容を切り替えてもよい」ものであり、「４桁の７セグメントＬＥＤによって構成され、下２桁に役物比率の数値を表示し、上２桁に数値の種類を表示」するものであることからすると、切替えられた表示内容ごとに一つずつ表示するものである。また、先願発明の「役物比率表示器１３１７」は、「主制御基板１３１０」に取付けられ、「主制御ＭＰＵ１３１１が計算した役物比率を表示するものであ」ることからすると、主制御ＭＰＵ１３１１と電気的に接続していることは明らかである。
　また、先願発明では「遊技の進行を制御する主制御基板１３１０」としているが、制御は主制御基板１３１０に取り付けられた「主制御ＭＰＵ１３１１」が行っていることは明らかである。
　そうすると、先願発明の「ｅ２　遊技の進行を制御する主制御基板１３１０は、主制御ＭＰＵ１３１１及び役物比率表示器１３１７が取り付けられ、役物比率表示器１３１７は、主制御ＭＰＵ１３１１が計算した役物比率を表示するものであり、４桁の７セグメントＬＥＤによって構成され、下２桁に役物比率の数値を表示し、上２桁に数値の種類を表示し、役物比率表示器１３１７は表示切替スイッチ１３１８の操作によって表示内容を切り替えてもよいものであ」ることは、本願補正発明の「Ｅ２　前記制御基板における電子部品の実装面には、遊技の進行を制御する制御装置と、当該制御装置と電気的に接続され、かつ遊技に関する情報を表示内容ごとに一つずつ表示可能とするとともに操作部の操作に基づき当該表示内容を切り換えて表示可能な表示装置とが少なくとも実装され」ることに相当する。
ｆ３　先願発明は、「複数の封印機構を備えており」、「一つの封印機構を用いて」主制御基板ボックス１３２０を封印して閉じ、封印機構を破壊して開けることで、主制御基板ボックス１３２０の開閉の痕跡を残すことができることからして、先願発明の「ｆ３　主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、主制御基板ボックス１３２０の開閉の痕跡を残すことができ」ることは、本願補正発明の「Ｆ３　前記収納ケースの表面には、当該収納ケースの固着及び開放の履歴を記録する記録手段が設けられ」ることと、「Ｆ３’　前記収納ケースの固着及び開放の痕跡を複数残すことができる」点で共通する。
ｇ　先願発明では、「主制御基板１３１０」に「主制御ＭＰＵ１３１１及び役物比率表示器１３１７が取り付けられ」ているが、このような部品を互いに重ねて取付けないことは技術常識であり、先願発明において、「プリント基板上に配置された部品を外部から見」たときに、「主制御ＭＰＵ１３１１及び役物比率表示器１３１７」は互いに重なって見える位置にないことは明らかである。
　そうすると、先願発明の「ｇ　透明の樹脂製の主制御基板ボックス１３２０に、主制御ＭＰＵ１３１１及び役物比率表示器１３１７が取り付けられた主制御基板１３１０が収容され、プリント基板上に配置された部品を外部から見ることができ」ることは、本願補正発明の「Ｇ　前記制御装置、前記表示装置及び前記記録手段は、前記収納ケースに前記制御基板が収納された状態で当該収納ケースの表面を正面視した際に、互いに重なって視認されることの無い位置に配置されて」いることと、「Ｇ’　前記制御装置及び前記表示装置は、前記収納ケースに前記制御基板が収納された状態で当該収納ケースの表面を正面視した際に、互いに重なって視認されることの無い位置に配置されて」いる点で共通する。
ｈ　先願発明の「払い出した賞球数であるセーフ球数÷発射球数（アウト球数）で計算できる、特賞中（大当り中）を除いた通常時の出玉率であるベース」は、本願補正発明の「前記払出装置により払い出された賞球の数に対応する値及び前記発射装置により発射された遊技球の数に対応する値に基づく算出値」に相当する。また、先願発明では、「主制御ＭＰＵ１３１１は、役物比率算出・表示処理を実行し、メイン領域のデータから役物比率及び連続役物比率を算出し」としており、「役物比率表示器１３１７」が「ベース」を表示するときには、「主制御ＭＰＵ１３１１」が「ベース」を算出すること、またこのような「ベース」が遊技に関する情報であることは明らかである。さらに、先願発明では、「直近データ表示と中期データ表示と長期データ表示とを切り替えて表示してもよく」とあることから、「主制御ＭＰＵ１３１１」が算出する値を、所定の期間において算出することも明らかである。
　そうすると、先願発明の「ｈ　主制御ＭＰＵ１３１１は、役物比率算出・表示処理を実行し、メイン領域のデータから役物比率及び連続役物比率を算出し、役物比率表示器１３１７は、直近データ表示と中期データ表示と長期データ表示とを切り替えて表示してもよく、役物比率表示器１３１７は、払い出した賞球数であるセーフ球数÷発射球数（アウト球数）で計算できる、特賞中（大当り中）を除いた通常時の出玉率であるベースを表示してもよ」いことは、本願補正発明の「Ｈ　前記制御装置は、前記遊技に関する情報の一つとして、所定の算定期間において、前記払出装置により払い出された賞球の数に対応する値及び前記発射装置により発射された遊技球の数に対応する値に基づく算出値を導出可能であ」ることに相当する。
ｉ　先願発明の「役物比率表示器１３１７は、算出された役物比率を表示」することは、上記ｈで示したことを踏まえると、本願補正発明の「前記表示装置は、前記制御装置により導出された所定の算定期間における算出値を表示」することに相当する。そうすると、先願発明の「ｉ　役物比率表示器１３１７は、算出された役物比率を表示し、表示切替スイッチ１３１８の操作によって表示内容を切り替えてもよい、パチンコ機１」は、本願補正発明の「Ｉ　前記表示装置は、前記制御装置により導出された所定の算定期間における算出値を表示可能に設定されるとともに、前記操作部の操作に基づき前記表示内容を切り換えて表示可能に設定されていることを特徴とする遊技機」に相当する。
　上記ａ〜ｉによれば、本願補正発明と先願発明とは、
「Ａ　遊技球が流下可能な遊技領域と、
Ｂ　前記遊技領域へ向けて遊技球を発射可能な発射装置と、
Ｃ　前記遊技領域を流下する遊技球が進入可能な入賞口と、
Ｄ　前記入賞口へ遊技球が進入することに基づき、賞球として遊技球を払い出す払出装置と、を備えるとともに、
Ｅ１　電子部品を実装した制御基板が、開放可能な収納ケースに収納された状態で設けられ、
Ｆ１　前記収納ケースは、
　当該収納ケースが開放不能となるように固着するためのカシメ部を備えるとともに、当該収納ケースが固着された後に当該収納ケースを開放する際には、前記カシメ部が破壊されるように形成され、
Ｆ２　当該収納ケースに前記制御基板が収納された状態で当該収納ケースの表面を正面視した際には、当該収納ケースの表面を通して、前記制御基板における電子部品の実装面を視認可能に形成されている遊技機であって、
Ｅ２　前記制御基板における電子部品の実装面には、遊技の進行を制御する制御装置と、当該制御装置と電気的に接続され、かつ遊技に関する情報を表示内容ごとに一つずつ表示可能とするとともに操作部の操作に基づき当該表示内容を切り換えて表示可能な表示装置とが少なくとも実装され、
Ｆ３’　前記収納ケースの固着及び開放の痕跡を複数残すことができ、
Ｇ’　前記制御装置及び前記表示装置は、前記収納ケースに前記制御基板が収納された状態で当該収納ケースの表面を正面視した際に、互いに重なって視認されることの無い位置に配置されており、
Ｈ　前記制御装置は、前記遊技に関する情報の一つとして、所定の算定期間において、前記払出装置により払い出された賞球の数に対応する値及び前記発射装置により発射された遊技球の数に対応する値に基づく算出値を導出可能であり、
Ｉ　前記表示装置は、前記制御装置により導出された所定の算定期間における算出値を表示可能に設定されるとともに、前記操作部の操作に基づき前記表示内容を切り換えて表示可能に設定されていることを特徴とする遊技機。」
である点で一致し、次の２点で一応相違する。
相違点１　「Ｆ３’　前記収納ケースの固着及び開放の痕跡を複数残すことができ」について、本願補正発明では、「Ｆ３　前記収納ケースの表面には、当該収納ケースの固着及び開放の履歴を記録する記録手段が設けられ」ているのに対し、先願発明では「記録手段」を設けておらず、「複数の封印機構」により収納ケースの固着及び開放の痕跡を複数残すようにしている点。
相違点２　「Ｇ’　前記制御装置及び前記表示装置は、前記収納ケースに前記制御基板が収納された状態で当該収納ケースの表面を正面視した際に、互いに重なって視認されることの無い位置に配置されており」について、本願補正発明では「Ｇ　前記制御装置、前記表示装置及び前記記録手段は、前記収納ケースに前記制御基板が収納された状態で当該収納ケースの表面を正面視した際に、互いに重なって視認されることの無い位置に配置されており」としているのに対し、先願発明では「記録手段」を設けておらず、「記録手段」を含めて互いに重なって視認されることの無い位置に配置していない点。
（４）判断
　上記相違点は、いずれも「記録手段」に関するものであるので、以下にまとめて検討する。
　上記周知例１及び周知例２それぞれに記載されるとおり、遊技機において、制御回路基板が収納された基板ボックスの表面に、基板ボックスを開放したことを記載する検査履歴書が、制御回路基板に設けられたＲＯＭを覆う部位を除いて取付けられること、また、検査履歴書に、基板ボックスの複数の封印に対応させて検査履歴を記載することで、封印の状態を照合することができることは、当業者における周知技術である。
　そうすると、まず上記相違点１について、先願発明は、「複数の封印機構」により収納ケースの固着及び開放の痕跡を複数残すようにしており、上記周知技術を参照して、主制御基板ボックス１３２０に備えられた複数の封印機構に対応させて検査履歴を記載するような検査履歴書を設け、複数の封印機構の状態を照合できるようにすることは、単なる周知技術の付加であり、新たな効果を奏するものではない。
　そして、上記相違点２について、検査履歴書が制御回路基板に設けられたＲＯＭを覆う部位を除いて取付けられることも上記のとおり周知技術であるから、先願発明において、検査履歴書を設けるとしたときに、主制御ＭＰＵ１３１１及び役物比率表示器１３１７と共に、検査履歴書を含めて、プリント基板上に配置された部品を外部から見ることができるような位置に、検査履歴書を設けることは、単なる周知技術の付加であり、新たな効果を奏するものではない。
　したがって、上記相違点１及び上記相違点２は、課題解決のための具体化手段における微差であるといえる。
　よって、本願補正発明は、先願発明と実質的に同一である。
（５）請求人の主張について
ア　請求人は審判請求書において、本願補正発明の作用、効果として、次のとおり主張している。
「３．本願が特許されるべき理由
・・・略・・・
（３）補正後の本願発明の作用・効果
・・・略・・・
　このような上記補正後の請求項１に係る発明によれば、遊技に関する情報を誤表示させる等の不正行為を防止可能としつつ、遊技に関する情報を確実に視認することが可能となります。
　また、特に、遊技に関する情報についての表示内容（例えば、出玉率、特別電動役物比率、一般賞球比率、役物比率等）が複数ある場合に操作部の操作に応じて表示内容を切り換えて表示することが可能となり、いわゆるゴト行為や故障の発生等によって、一般入賞口や大入賞口への遊技球の入球の難易度が変化してしまっているような状況を含め、遊技機の状況を把握することができ、もって迅速かつ確実に遊技情報の確認作業を行うことが可能な遊技機を提供することができます。」
　しかし、これらの効果は、先願発明、または先願発明に上記周知技術を付加したものによっても得られるものであり、本願補正発明に特有のものとすることはできない。
イ　また、請求人は審判請求書において、平成３０年６月１８日付けの補正の却下の決定において引用した、特願２０１６−６０７５８号（特開２０１７−１６９９３７号）について主張しているが、当該出願は、上記先願とは異なるものであり、その主張を採用することはできない。
ウ　さらに、請求人は、出願人として、平成３０年２月５日に提出された意見書において、平成２９年１１月２８日付けの最後の拒絶理由通知で引用した、上記先願に対する主張をしているが、当該主張は、上記意見書と同日に提出された手続補正書で補正された内容に基づくものであり、当該補正は平成３０年６月１８日付けの補正の却下の決定により却下されているから、その主張を採用することはできない。
（６）まとめ
　したがって、本願補正発明は、先願発明と同一の発明であり、先願明細書等に記載された発明である。また、本件出願の発明者が先願の発明と同一ではなく、また本件の出願の時に、本件の出願人と先願の出願人とが同一でもない。
　よって、本願補正発明は、特許法第２９条の２の規定により、特許出願の際独立して特許を受けることができないものである。
４　補正の却下の決定についてのむすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記第２のとおり却下されたので、本願の請求項１に係る発明（以下、「本願発明」という。）は、平成２９年６月２８日に提出された手続補正書により補正された、上記第２［理由］１で示した特許請求の範囲の請求項１に記載された次のとおりのものである（Ａ〜Ｉ’は、本願発明を分説するため当審にて付与した）。
「Ａ　遊技球が流下可能な遊技領域と、
Ｂ　前記遊技領域へ向けて遊技球を発射可能な発射装置と、
Ｃ　前記遊技領域を流下する遊技球が進入可能な入賞口と、
Ｄ　前記入賞口へ遊技球が進入することに基づき、賞球として遊技球を払い出す払出装置と、を備えるとともに、
Ｅ１　電子部品を実装した制御基板が、開放可能な収納ケースに収納された状態で設けられ、
Ｆ１　前記収納ケースは、
　当該収納ケースが開放不能となるように固着するためのカシメ部を備えるとともに、当該収納ケースが固着された後に当該収納ケースを開放する際には、前記カシメ部が破壊されるように形成され、
Ｆ２　当該収納ケースに前記制御基板が収納された状態で当該収納ケースの表面を正面視した際には、当該収納ケースの表面を通して、前記制御基板における電子部品の実装面を視認可能に形成されている遊技機であって、
Ｅ２’　前記制御基板における電子部品の実装面には、遊技の進行を制御する制御装置と、当該制御装置と電気的に接続され、かつ遊技に関する情報を表示する表示装置とが少なくとも実装され、
Ｆ３　前記収納ケースの表面には、当該収納ケースの固着及び開放の履歴を記録する記録手段が設けられ、
Ｇ　前記制御装置、前記表示装置及び前記記録手段は、前記収納ケースに前記制御基板が収納された状態で当該収納ケースの表面を正面視した際に、互いに重なって視認されることの無い位置に配置されており、
Ｈ’　前記制御装置は、所定の算定期間において、前記払出装置により払い出された賞球の数に対応する値及び前記発射装置により発射された遊技球の数に対応する値に基づく算出値を導出可能であり、
Ｉ’　前記表示装置は、前記制御装置により導出された所定の算定期間における算出値を表示可能に設定されていることを特徴とする遊技機。」
２　原査定の拒絶の理由の概略
　（拡大先願）この出願の、平成２９年６月２８日に提出された手続補正書により補正された下記の請求項に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
●理由（拡大先願）について
・請求項　１
・先願　１、周知例　２〜４
　　　　　　　　　　　　　＜引用文献等一覧＞
１.特願２０１６−８９７３０号（特開２０１７−１９６１８５号）
２.特開平１０−２８６３６４号公報（周知技術を示す文献）
３.特開平１１−９８００号公報（周知技術を示す文献）
４.特開２００９−１１４６４号公報（周知技術を示す文献）
３　引用文献
　原査定の拒絶の理由で引用された、周知例２及び周知例３の記載事項は、上記第２［理由］３（２）イ及びウにて、周知例１及び周知例２として記載したとおりである。
　また、原査定の拒絶の理由で引用された、先願１は、上記第２［理由］３（２）アにて先願として示したものであり、その記載内容は、以下のとおりである。
　先願明細書等に記載された事項は、上記第２［理由］３（２）アにて、記載事項（ア）〜（ス）として示したとおりである。
　また、当該記載事項（ア）〜（ス）から、先願明細書等には、上記第２［理由］３（２）アにて、認定事項（ａ）、（ｂ）、（ｃ）、（ｄ）、（ｅ１）、（ｆ１）、（ｆ２）、（ｆ３）、（ｇ）及び（ｈ）として示した技術的事項が記載されているものと認められる。
　さらに、先願明細書等には以下の技術的事項が記載されているものと認められる（見出しｅ２’及びｉ’は、本願発明の構成Ｅ２’及びＩ’に対応して付した）。
（ｅ２’）記載事項（カ）から、遊技の進行を制御する主制御基板１３１０は、主制御ＭＰＵ１３１１を備えていることが記載されており、記載事項（キ）（【００７２】）から、主制御基板１３１０には役物比率表示器１３１７が取り付けられ、主制御ＭＰＵ１３１１が計算した役物比率を表示することが記載されている。
　そうすると、先願明細書等には、
遊技の進行を制御する主制御基板１３１０は、主制御ＭＰＵ１３１１及び役物比率表示器１３１７が取り付けられ、役物比率表示器１３１７は、主制御ＭＰＵ１３１１が計算した役物比率を表示するものである
（ｉ’）記載事項（コ）から、
役物比率表示器１３１７は、算出された役物比率を表示する
　以上の記載事項（ア）〜（ス）及び認定事項（ａ）〜（ｉ’）を総合すると、先願明細書等には、以下の発明（以下、「先願発明２」という。）が記載されている（分説ａ〜ｉ’は、本願発明の分説Ａ〜Ｉ’に対応させて付与した。先願発明２と先願発明とは、構成ｅ２’及びｉ’において相違している）。
「ａ　遊技球が打込まれる遊技領域５ａと、
ｂ　遊技領域５ａ内に遊技球を打込むための球発射装置６８０と、
ｃ　遊技領域５ａ内に打込まれた遊技球を受入可能な一般入賞口２００１及び第一始動口２００２と、
ｄ　遊技球が入賞口に受入れられると、受入れられた入賞口に応じて、所定数の遊技球が払出される払出装置８３０と、
ｅ１　一度閉めたら破壊せずに開けることができない構造で封印された主制御基板ボックス１３２０に主制御基板１３１０が収容され、
ｆ１　主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、
ｆ２　透明の樹脂製の主制御基板ボックス１３２０に主制御基板１３１０が収容され、プリント基板上に配置された部品を外部から見ることができるパチンコ機１であって、
ｅ２’　遊技の進行を制御する主制御基板１３１０は、主制御ＭＰＵ１３１１及び役物比率表示器１３１７が取り付けられ、役物比率表示器１３１７は、主制御ＭＰＵ１３１１が計算した役物比率を表示するものであり、
ｆ３　主制御基板ボックス１３２０は、複数の封印機構を備えており、一つの封印機構を用いて主制御基板ボックス１３２０を閉じると、次に、主制御基板ボックス１３２０を開けるためにはその封印機構を破壊する必要があり、主制御基板ボックス１３２０の開閉の痕跡を残すことができ、
ｇ　透明の樹脂製の主制御基板ボックス１３２０に、主制御ＭＰＵ１３１１及び役物比率表示器１３１７が取り付けられた主制御基板１３１０が収容され、プリント基板上に配置された部品を外部から見ることができ、
ｈ　主制御ＭＰＵ１３１１は、役物比率算出・表示処理を実行し、メイン領域のデータから役物比率及び連続役物比率を算出し、役物比率表示器１３１７は、直近データ表示と中期データ表示と長期データ表示とを切り替えて表示してもよく、役物比率表示器１３１７は、払い出した賞球数であるセーフ球数÷発射球数（アウト球数）で計算できる、特賞中（大当り中）を除いた通常時の出玉率であるベースを表示してもよく、
ｉ’　役物比率表示器１３１７は、算出された役物比率を表示する、パチンコ機１。」
４　対比・判断
　本願補正発明は、上記第２［理由］２で示したとおり、本願発明に対して、補正事項ア乃至ウの補正により、本願発明の構成Ｅ２’、Ｈ’及びＩ’について限定したものである。
　そして、本願発明と先願発明２とを対比すると、上記第２［理由］３（３）で示した点を踏まえ、以下のとおりである。
　先願発明２の構成ａ、ｂ、ｃ、ｄ、ｅ１、ｆ１及びｆ２は、それぞれ本願発明の構成Ａ、Ｂ、Ｃ、Ｄ、Ｅ１、Ｆ１及びＦ２に相当する。
　また、先願発明２の構成ｆ３、ｇについて、それぞれ上記第２［理由］３（３）で示した点で本願発明と共通する。
　先願発明２の構成ｅ２’について、先願発明２では「遊技の進行を制御する主制御基板１３１０」としているが、制御は主制御基板１３１０に取り付けられた「主制御ＭＰＵ１３１１」が行っていることは明らかである。また、先願発明２の「役物比率表示器１３１７」は、「主制御基板１３１０」に取付けられ、「主制御ＭＰＵ１３１１が計算した役物比率を表示するものであ」ることからすると、主制御ＭＰＵ１３１１と電気的に接続していることは明らかである。そうすると、先願発明２の「ｅ２’　遊技の進行を制御する主制御基板１３１０は、主制御ＭＰＵ１３１１及び役物比率表示器１３１７が取り付けられ、役物比率表示器１３１７は、主制御ＭＰＵ１３１１が計算した役物比率を表示するものであ」ることは、本願発明の「Ｅ２’　前記制御基板における電子部品の実装面には、遊技の進行を制御する制御装置と、当該制御装置と電気的に接続され、かつ遊技に関する情報を表示する表示装置とが少なくとも実装され」ることに相当する。
　先願発明２の構成ｈについて、先願発明２の「払い出した賞球数であるセーフ球数÷発射球数（アウト球数）で計算できる、特賞中（大当り中）を除いた通常時の出玉率であるベース」は、本願発明の「前記払出装置により払い出された賞球の数に対応する値及び前記発射装置により発射された遊技球の数に対応する値に基づく算出値」に相当する。また、先願発明２では、「主制御ＭＰＵ１３１１は、役物比率算出・表示処理を実行し、メイン領域のデータから役物比率及び連続役物比率を算出し」としており、「役物比率表示器１３１７」が「ベース」を表示するときには、「主制御ＭＰＵ１３１１」が「ベース」を算出することは明らかである。さらに、先願発明２では、「直近データ表示と中期データ表示と長期データ表示とを切り替えて表示してもよく」とあることから、「主制御ＭＰＵ１３１１」が算出する値を、所定の期間において算出することも明らかである。そうすると、先願発明２の「ｈ　主制御ＭＰＵ１３１１は、役物比率算出・表示処理を実行し、メイン領域のデータから役物比率及び連続役物比率を算出し、役物比率表示器１３１７は、直近データ表示と中期データ表示と長期データ表示とを切り替えて表示してもよく、役物比率表示器１３１７は、払い出した賞球数であるセーフ球数÷発射球数（アウト球数）で計算できる、特賞中（大当り中）を除いた通常時の出玉率であるベースを表示してもよ」いことは、本願発明の「Ｈ’　前記制御装置は、所定の算定期間において、前記払出装置により払い出された賞球の数に対応する値及び前記発射装置により発射された遊技球の数に対応する値に基づく算出値を導出可能であ」ることに相当する。
　先願発明２の構成ｉ’について、先願発明２の「ｉ’　役物比率表示器１３１７は、算出された役物比率を表示する、パチンコ機１」は、上記構成ｈ’について示したことを踏まえると、本願発明の「Ｉ’　前記表示装置は、前記制御装置により導出された所定の算定期間における算出値を表示可能に設定されていることを特徴とする遊技機」に相当する。
　上記ａ〜ｉ’によれば、本願発明と先願発明２とは、
「Ａ　遊技球が流下可能な遊技領域と、
Ｂ　前記遊技領域へ向けて遊技球を発射可能な発射装置と、
Ｃ　前記遊技領域を流下する遊技球が進入可能な入賞口と、
Ｄ　前記入賞口へ遊技球が進入することに基づき、賞球として遊技球を払い出す払出装置と、を備えるとともに、
Ｅ１　電子部品を実装した制御基板が、開放可能な収納ケースに収納された状態で設けられ、
Ｆ１　前記収納ケースは、
　当該収納ケースが開放不能となるように固着するためのカシメ部を備えるとともに、当該収納ケースが固着された後に当該収納ケースを開放する際には、前記カシメ部が破壊されるように形成され、
Ｆ２　当該収納ケースに前記制御基板が収納された状態で当該収納ケースの表面を正面視した際には、当該収納ケースの表面を通して、前記制御基板における電子部品の実装面を視認可能に形成されている遊技機であって、
Ｅ２’　前記制御基板における電子部品の実装面には、遊技の進行を制御する制御装置と、当該制御装置と電気的に接続され、かつ遊技に関する情報を表示する表示装置とが少なくとも実装され、
Ｆ３’　収納ケースの固着及び開放の痕跡を複数残すことができ、
Ｇ’　前記制御装置及び前記表示装置は、前記収納ケースに前記制御基板が収納された状態で当該収納ケースの表面を正面視した際に、互いに重なって視認されることの無い位置に配置されており、
Ｈ’　前記制御装置は、所定の算定期間において、前記払出装置により払い出された賞球の数に対応する値及び前記発射装置により発射された遊技球の数に対応する値に基づく算出値を導出可能であり、
Ｉ’　前記表示装置は、前記制御装置により導出された所定の算定期間における算出値を表示可能に設定されていることを特徴とする遊技機。」
である点で一致し、上記第２［理由］３（３）で相違点１及び相違点２として示した２点で一応相違する。
　そして、当該相違点については、上記第２［理由］３（４）で示したとおりである。
　したがって、本願発明は、先願発明２と実質的に同一である。
第４　むすび
　以上のとおり、本願発明は、先願明細書等に記載された発明である。また、本件出願の発明者が先願の発明と同一ではなく、また本件の出願の時に、本件の出願人と先願の出願人とが同一でもない。
　したがって、本願発明は、特許法第２９条の２の規定により特許を受けることができないから、本願は拒絶すべきものである。
　よって、結論のとおり審決する。